(57)【要約】【課題】撮影装置を体外に置いた状態でも口蓋垂周辺部をはっきりと撮影できるインフルエンザ検査用口蓋内視認装置を提供することを目的とする。【解決手段】インフルエンザ検査用口蓋内視認装置１は、後部に把持部１７を備え、前部にレンズ１１を備えた装置本体１０と、後部に装着部２１を備え、前部に舌押さえ部２２を備えた舌押さえ部材２０と、レンズ１１から取得した映像情報を出力するディスプレイと、を備え、舌押さえ部材２０の舌押さえ部２２は、装着部２１から前方へ向けて差し出されたへら形状をなし、舌押さえ部材２０の装着部２１が装着される被装着部１２が装置本体１０の前端部に設けられており、使用時において、舌押さえ部２２は被験者の口蓋内に位置して検査対象の舌を下方へ押さえており、装置本体１０は口蓋外に位置してレンズ１１が口蓋垂周辺部の映像を取得してなる。【選択図】図１
2020156571.tif 000002
【特許請求の範囲】
【請求項１】
映像取得部を備えた装置本体と、
後部に装着部を備え、前部に舌押さえ部を備えた舌押さえ部材と、
を具備し、
前記装置本体の前部には、前記装着部が装着される被装着部が設けられており、
前記舌押さえ部は、前記装着部から前方へ向けて差し出された長手形状をなしており、
使用時において、前記装置本体に前記舌押さえ部材が装着されていると共に、前記舌押さえ部は検査対象の口蓋内に位置して当該検査対象の舌を下方へ押さえた状態となり、かかる状態で前記装置本体は口蓋外に位置しており、前記映像取得部が、当該映像取得部の前方に位置する当該口蓋内の口蓋垂周辺部の映像を取得してなる
ことを特徴とするインフルエンザ検査用口蓋内視認装置。
【請求項２】
前記舌押さえ部材は、前記装置本体に対して脱着自在とされてなる
請求項１に記載のインフルエンザ検査用口蓋内視認装置。
【発明の詳細な説明】
【技術分野】
【０００１】
本発明は、口蓋内にある口蓋垂周辺の状態を視認することによってインフルエンザに罹患しているか否かを検査するインフルエンザ検査用口蓋内視認装置に関する。
【背景技術】
【０００２】
従来から、インフルエンザに罹患しているか否かを検査する方法として、例えば特許文献１に開示されているように、鼻の中に綿棒を挿入して鼻腔液を採取し、試験具を用いて陽性陰性の判定を行うものが知られている。なお、鼻の中に綿棒を挿入することは、被験者にとって痛み等の大きな負担を強いるものであった。
【０００３】
ここで近年、インフルエンザに罹患しているか否かの検査方法として、のどの奥にある口蓋垂周辺部を近距離にて撮影あるいは確認し、その画像から感染の有無を判断することが試みられている。
【先行技術文献】
【特許文献】
【０００４】
【特許文献１】特開２００８−１６４４０３号公報
【発明の概要】
【発明が解決しようとする課題】
【０００５】
しかし、口蓋内にカメラ等の撮影装置を挿入し、撮影装置を口蓋垂近辺まで近づけることは、このこともまた患者にとって大きな負担を強いるという問題がある。
【０００６】
そこで本発明は、上記問題を解消しうるインフルエンザ検査用口蓋内視認装置を提供することを目的とする。
【課題を解決するための手段】
【０００７】
本発明は、映像取得部を備えた装置本体と、後部に装着部を備え、前部に舌押さえ部を備えた舌押さえ部材と、を具備し、前記装置本体の前部には、前記装着部が装着される被装着部が設けられており、前記舌押さえ部は、前記装着部から前方へ向けて差し出された長手形状をなしており、使用時において、前記装置本体に前記舌押さえ部材が装着されていると共に、前記舌押さえ部は検査対象の口蓋内に位置して当該検査対象の舌を下方へ押さえた状態となり、かかる状態で前記装置本体は口蓋外に位置しており、前記映像取得部が、当該映像取得部の前方に位置する当該口蓋内の口蓋垂周辺部の映像を取得してなることを特徴とするインフルエンザ検査用口蓋内視認装置である。
【０００８】
かかる構成にあっては、検査対象である被験者の舌を前記舌押さえ部によって押さえた状態で、前記映像取得部によって口蓋垂周辺部（例えば口蓋垂の奥）の映像を取得し、のどにできる濾胞の状態に基づいてインフルエンザに罹患しているか否かを即座に判断することができる。しかも、検査対象の口蓋内には、装置本体が挿入されず、前記舌押さえ部が配置されることになるため、被験者にかかる負担を大幅に軽減することができる。
【０００９】
また、前記舌押さえ部材は、前記装置本体に対して脱着自在とされてなる構成が提案される。
【００１０】
かかる構成とすることにより、検査対象の口蓋内へ入る舌押さえ部を備えた舌押さえ部材のみを交換して複数の被験者に対して迅速な検査を行うことができる。
【発明の効果】
【００１１】
本発明のインフルエンザ検査用口蓋内視認装置は、被験者にかかる負担を大幅に軽減することができる効果がある。
【図面の簡単な説明】
【００１２】
【図１】インフルエンザ検査用口蓋内視認装置を示す説明図である。
【図２】装置本体の一部を示す側面図及び舌押さえ部材の縦断面図である。
【図３】インフルエンザ検査用口蓋内視認装置の使用状態を示す説明図である。
【図４】ディスプレイの表示画面に表示された口蓋垂の説明図である。
【発明を実施するための形態】
【００１３】
本発明のインフルエンザ検査用口蓋内視認装置を以下に詳細に説明する。なお、本発明は、下記に示す実施例に限定されることはなく、適宜設計変更が可能である。
【００１４】
図１に示すように、インフルエンザ検査用口蓋内視認装置１（以下、単に装置１ともいう）は、映像取得部であるレンズ１１と、医師等の使用者が把持する把持部１７とを備えた装置本体１０と、舌押さえ部２２を備えた舌押さえ部材２０と、を具備している。
【００１５】
ここで、装置本体１０の前部には、前部中央にレンズ１１を備えた円柱形状の被装着部１２が形成されている。また、レンズ１１の周囲には、光源として機能するＬＥＤライト１３が複数（８個）設けられている。また、被装着部１２の外周面には、外側に向かって突出した第１係合部１５が周状に形成されている。
【００１６】
また、被装着部１２の後端部には、把持部１７が連続して形成されている。なお、把持部１７の後端部には、電源コードや後述する情報出力部としてのディスプレイ３０（図示せず）へ映像データを送信する送信コード等が取り付けられている。
【００１７】
図２等に示すように、舌押さえ部材２０の後部には、円筒形状の装着部２１が形成されている。さらに、装着部２１の内周面は、装置本体１０の前端部が挿入可能な縮径形状とされている。そして、装着部２１の内周面には第２係合部２５が内側に向かって突出して周状に形成されている。
【００１８】
一方、装着部２１の前部には、前側に向かって差し出された長手形状の舌押さえ部２２が形成されている。具体的にかかる舌押さえ部２２は、全体的に丸みを帯びたへら形状をなしている。
【００１９】
次に、装置本体１０と舌押さえ部材２０の装着構造について説明する。
【００２０】
まず、装置本体１０の被装着部１２に、舌押さえ部材２０の装着部２１を取り付け、被装着部１２の前端部が装着部２１の縮径部分に当接することで装置本体１０に舌押さえ部材２０が装着される。なお、装着時においては、被装着部１２の第１係合部１５と装着部２１の第２係合部２５とが係合することによって装置本体１０と舌押さえ部材２０とが容易に外れてしまうことが防止される。
【００２１】
さらに、装置１の使用状態について説明する。
【００２２】
検査対象である被験者Ｘの口蓋垂周辺部Ｐを視認する場合には、図３に示したように、被験者Ｘの口を開かせて舌押さえ部材２０の舌押さえ部２２を被験者Ｘの口蓋内へ差し込み、舌Ｔを舌押さえ部２２によって下方へ押さえつける。このとき、装置本体１０は被験者Ｘの口蓋外に位置している。この状態で、ＬＥＤライト１３を点灯して口蓋内を明るく照らし、レンズ１１によって口蓋垂周辺部Ｐの映像を取得する。
【００２３】
取得した映像は、図４に示したように、例えば情報出力部であるディスプレイ（図示せず）の表示画面３１に表示してもよいし、装置本体１０から直接目視してもよい。これにより使用者は、口蓋垂周辺部Ｐを視認して被験者Ｘがインフルエンザに罹患しているか否かを判断することができる。なお、罹患しているかの判断は、通常、医師が行うが、かかる手法に代えて、取得した映像に基づいていわゆるＡＩが判断する装置としてもよい。また、取得した映像のデータは、有線又は無線（例えばＷｉＦｉ）で伝送することができる。
【００２４】
ここで装置本体１０は、顕微鏡タイプの内部構成であることが好ましく、レンズ１１は、口蓋外から口蓋垂周辺部Ｐの映像を取得するのに適した焦点距離に定められたものが選択されることが望ましい。また、レンズ１１は、被写界深度が浅いことが好ましく、口蓋外から口蓋垂周辺部Ｐを明確に拡大して映像を取得することができる点で、本発明の映像取得部として優れている。一方、例えばＣＣＤカメラのような被写界深度が深いものを選択してもよいが、口蓋外から口蓋垂周辺部Ｐの映像を取得し、拡大してディスプレイ３０の表示画面３１に表示すると画素が粗くなって検査に支障をきたすおそれがある。
【００２５】
なお、舌押さえ部材２０が装置本体１０に対して脱着自在とされているため、被験者Ｘの口蓋内へ入る舌押さえ部２２を備えた舌押さえ部材２０のみを交換して複数の被験者Ｘに対して装置１を用いる際に時間がかからず、迅速な適用が可能となる。
【００２６】
上記実施例において、各部の寸法形状は適宜自由に選択可能である。また、舌押さえ部材２０を装置本体１０に装着する固定構造は、例えばバヨネット機構等の公知技術が好適に適用可能である。また、舌押さえ部２２の形状は、舌Ｔをおさえる機能と、口蓋内を傷つけない機能とを両立する丸みを帯びたへら形状であれば適宜変更可能であり、例えば前部が幅広となったスプーン形状等であっても構わない。また、表示画面３１に表示する映像は静止画でもよいし動画でもよい。また、装置本体１０には、脱着可能な交換カバーを装着した上で検査を実行するようにしてもよい。かかる構成として検査の度に交換カバーを交換することで、衛生状態を好適に維持することができる。
【符号の説明】
【００２７】
１          インフルエンザ検査用口蓋内視認装置
１０        装置本体
１１        レンズ（映像取得部）
１２        被装着部
１３        ＬＥＤライト
１５        第１係合部
１７        把持部
２０        舌押さえ部材
２１        装着部
２２        舌押さえ部
２５        第２係合部
３１        表示画面
Ｐ          口蓋垂周辺部
Ｔ          舌
Ｘ          被験者（検査対象）
【図１】
2020156571.tif 000003
【図２】
2020156571.tif 000004
【図３】
2020156571.tif 000005
【図４】
2020156571.tif 000006